(57)【要約】【課題】記録／再生装置の薄型化を図ることができるシャッター装置を提供する。【解決手段】シャッター装置は、第１の回動軸を中心に回動するシャッター部材３０と、シャッター部材３０と係合して、該シャッター部材３０を駆動する揺動アーム４０と、を備える。シャッター部材３０は、第２の回動軸Ｐを中心に回動する揺動アーム４０によって回動することにより、記録媒体Ｄを挿入する為の開口部２５の少なくとも一部分を覆って記録媒体Ｄの挿入を阻止する阻止位置と、開口部２５を開放して記録媒体Ｄの挿入及び排出を可能にする開放位置とに位置付けられる挿入阻止部３１を有し、シャッター部材３０と揺動アーム４０との係合部分は、シャッター部材３０における挿入阻止部３１の位置と、第１の回動軸との間に設けられている。【選択図】    図９
2004318965.tif 000002
【特許請求の範囲】
【請求項１】
第１の回動軸を中心に回動するシャッター部材と、
前記シャッター部材と係合して、該シャッター部材を駆動する駆動部材と、
を備え、
前記シャッター部材は、前記駆動部材によって回動することにより、記録媒体を挿入又は排出する為の開口部の少なくとも一部分を覆って前記記録媒体の挿入を阻止する阻止位置と、前記開口部を開放して前記記録媒体の挿入及び排出を可能にする開放位置とに位置付けられる挿入阻止部を有しており、
前記シャッター部材と前記駆動部材との係合部分は、前記シャッター部材における前記挿入阻止部の位置と、前記第１の回動軸に関して前記挿入阻止部の位置と対称となる位置との間に設けられていることを特徴とするシャッター装置。
【請求項２】
前記駆動部材は、前記記録媒体と当接して前記記録媒体の挿入又は排出を行う搬送部材を備え、
前記挿入阻止部が前記開放位置から前記阻止位置に移動すると共に前記搬送部材が前記記録媒体から離れることを特徴とする請求項１に記載のシャッター装置。
【請求項３】
前記挿入阻止部が前記開放位置に位置しているときに、前記係合部分における前記シャッター部材と前記駆動部材との間には、少なくとも前記記録媒体と前記搬送部材が当接することによって移動する前記駆動部材の前記係合部分における移動量以上のクリアランスが存在していることを特徴とする請求項２に記載のシャッター装置。
【請求項４】
前記シャッター部材が、開放方向に常時付勢されていることを特徴とする請求項１乃至請求項３のいずれか一項に記載のシャッター装置。
【発明の詳細な説明】
【０００１】
【発明の属する技術分野】
本発明は、記録／再生装置等におけるシャッター装置に関する。
【０００２】
【従来の技術】
従来より、光カード、磁気カード等のカード状記録媒体や、ＣＤ、ＤＶＤ等の円盤状記録媒体へのデータの記録又は当該記録媒体に記録されているデータの再生を行う記録／再生装置には、これら記録媒体の二重装填を防止する為に記録媒体を挿入した後、開口部を閉じるシャッター装置が設けられている（例えば、特許文献１参照）。
【０００３】
図１に示した従来のシャッター装置は、カード状記録媒体を用いた記録／再生装置に適用した例である。
パネル１の前面には、記録媒体２が挿脱自在に挿入される横長状の挿入口３が形成されており、パネル１の後方（パネル１の内部）には、挿入口（開口部）３から挿入された記録媒体２を記録／再生位置に搬送すると共に、記録／再生終了後に、記録／再生位置にある記録媒体２を挿入口３からパネル１前方に送り出す搬送装置６が配設されている。
【０００４】
シャッター１３は、記録媒体２の挿入方向（図１中、左右方向）に延びる細長い枠状とされて支持軸７回りに回動自在とされた保持部材１１の前端部に立設されており、パネル１の内方近傍に配設されて、搬送装置６の前方に位置している。このシャッター１３は、前方に湾曲凸状とされた板から成り、その中央部には、挿入口３と対応する形状及び大きさとされた横長状の開口部１４が形成されている。
【０００５】
そして、保持部材１１の回動により、シャッター１３は、パネル１と略平行な略上下方向に移動し、開口部１４が挿入口３と対応する開放位置と、開放位置から上方に移動して挿入口３をその下部側部分により閉鎖する閉鎖位置（図１に図示した位置）に位置変更自在とされている。
【０００６】
この保持部材１１は、後端部に立設された作動部材１２が、搬送装置６による記録媒体２の記録／再生位置への搬送時に、該記録媒体２により押圧されることにより回動され、シャッター１３を図１に示した閉鎖位置に移動する。尚、この保持部材１１は、シャーシ１０との間に介装された付勢バネ８により、前端部が下方に付勢されることで、シャッター１３を開放位置側へ付勢している。
そこで、支持軸１６回りに回動自在とされた保持部材１１の前端部に立設されたシャッター１３は、パネル１と略平行な略上下方向に移動させられるので、該シャッター１３の作動用スペースの前後方向長さを短くして記録／再生装置全体をコンパクトにできる。
【０００７】
【特許文献１】
特開平１０−２５５３６７号公報
【０００８】
【発明が解決しようとする課題】
しかしながら、上述した従来のシャッター装置のように、回動自在な保持部材１１の前端部に立設されたシャッター１３により挿入口３を閉じるシャッター装置の場合、記録／再生装置を更に薄型化するにあたり、保持部材１１の回動量が少なくなると、開放位置と閉鎖位置との間を移動するシャッター１３の移動量も小さくなる。その為、記録媒体の挿入排出経路から十分に離れた位置までシャッター１３を退避させるために保持部材１１の回動量を確保しなければならず、記録／再生装置の薄型化において空間的制約が大きいという問題が生じる。本発明が解決しようとする課題には、上記した問題が一例として挙げられる。
【０００９】
【課題を解決するための手段】
請求項１に記載の発明は、シャッター装置において、第１の回動軸を中心に回動するシャッター部材と、前記シャッター部材と係合して、該シャッター部材を駆動する駆動部材と、を備え、前記シャッター部材は、前記駆動部材によって回動することにより、記録媒体を挿入又は排出する為の開口部の少なくとも一部分を覆って前記記録媒体の挿入を阻止する阻止位置と、前記開口部を開放して前記記録媒体の挿入及び排出を可能にする開放位置とに位置付けられる挿入阻止部を有しており、前記シャッター部材と前記駆動部材との係合部分は、前記シャッター部材における前記挿入阻止部の位置と、前記第１の回動軸に関して前記挿入阻止部の位置と対称となる位置との間に設けられていることを特徴とする。
【００１０】
【発明の実施の形態】
本発明に係わるシャッター装置の実施の形態について説明する。
本発明のシャッター装置は、第１の回動軸を中心に回動するシャッター部材と、前記シャッター部材と係合して、該シャッター部材を駆動するべく平行移動するアームや揺動するアーム等の駆動部材と、を備えている。前記シャッター部材は、前記駆動部材によって回動することにより、記録媒体を挿入又は排出する為の開口部の少なくとも一部分を覆って前記記録媒体の挿入を阻止する阻止位置と、前記開口部を開放して前記記録媒体の挿入及び排出を可能にする開放位置とに位置付けられる挿入阻止部を有する。前記シャッター部材と前記駆動部材との係合部分は、前記シャッター部材における前記挿入阻止部の位置と、前記第１の回動軸に関して前記挿入阻止部の位置と対称となる位置との間に設けられている。
【００１１】
即ち、前記係合部分が、前記シャッター部材における前記挿入阻止部の位置と、前記第１の回動軸に関して前記挿入阻止部の位置と対称となる位置との間に設けられており、てこの原理を利用してシャッター部材の挿入阻止部の移動量に対して駆動部材の移動量を小さくすることで、駆動部材付近の省スペース化を図ることができ、それにより記録／再生装置の薄型化を図ることができる。
【００１２】
更に、前記第１の回動軸の近傍に前記係合部分を設けることで、前記挿入阻止部の移動量に対し前記駆動部材の移動量をより小さくすることができ、これにより記録／再生装置の薄型化を図ることができる。
また、前記第１の回動軸と前記挿入阻止部との間に前記係合部分を設けることで、前記シャッター部材を小さくすることができると共に、前記駆動部材の移動と前記挿入阻止部の移動の移動方向を同一方向にすることができ、これにより記録／再生装置の小型化及び薄型化を図ることができる。
【００１３】
また、前記シャッター部材を前記開口部近傍に設けると共に、前記第１の回動軸が前記記録媒体の挿入方向に沿って設けることで、前記記録媒体の挿入方向におけるシャッター部材の可動空間の省スペース化を図ることができる。
【００１４】
また、前記駆動部材が、第２の回動軸を中心に回動し、第１の端部で前記シャッター部材と係合する。
これにより、回動させることで前記駆動部材の可動空間の省スペース化を図ることができ、端部で係合することで前記駆動部材の小型化を図ることができる。
【００１５】
又、本発明におけるシャッター装置は、前記駆動部材が、前記記録媒体と当接して前記記録媒体の挿入又は排出を行う搬送部材を備えており、前記挿入阻止部が前記開放位置から前記阻止位置に移動すると共に前記搬送部材が前記記録媒体から離れる。
即ち、前記挿入阻止部が前記開放位置から前記阻止位置に移動するときの駆動力と前記搬送部材が前記記録媒体から離れるときの駆動力の共通化を図ることができる。
【００１６】
また、前記駆動部材が前記第２の回動軸を中心に回動し前記第１の端部で前記シャッター部材と係合する場合において、前記第２の回動軸に対し前記第１の端部と反対側にある第２の端部に前記搬送部材を備える。
これにより、前記開口部と前記搬送部材の位置が定まっていたときに前記駆動部材の小型化を図ることができる。また、前記第２の回動軸を前記駆動部材の係合部分の近くに設けることで、該駆動部材の係合部分の移動量に対し前記搬送部材の移動量を大きくすることができ、該搬送部材の記録媒体に対する離間量を大きくすることができる。
【００１７】
又、本発明におけるシャッター装置は、前記挿入阻止部が前記開放位置に位置しているときに、前記係合部分における前記シャッター部材と前記駆動部材との間には、少なくとも前記記録媒体と前記搬送部材とが当接することによって移動する前記駆動部材の前記係合部分における移動量以上のクリアランスが存在している。
即ち、前記記録媒体を挿入した際、前記搬送部材と該記録媒体が当接して前記駆動部材が移動しても、前記シャッター部材が連動して移動することがないので、前記挿入阻止部が不用意に阻止位置に移動する虞を少なくすることができる。
【００１８】
又、本発明におけるシャッター装置は、前記シャッター部材が、開放方向に常時付勢されている。
即ち、前記挿入阻止部が開放位置に位置している場合において、記録／再生装置が振動しても、該挿入阻止部が不用意に阻止位置に移動する虞を少なくすることができる。また、前記挿入阻止部が阻止位置から開放位置に移動する際に、前記シャッター部材は前記駆動部材に連動して速やかに移動し、該挿入阻止部が速やかに開放位置に移動することができる。
【００１９】
【実施例】
以下、添付図面に基づいて本発明の一実施例に係るシャッター装置を詳細に説明する。
図２は本発明の一実施例に係るシャッター装置を備えた記録／再生装置の全体斜視図、図３及び図４は図２に示した記録／再生装置の正面図、図５は図２に示した記録／再生装置におけるシャーシ部分の平面図である。
【００２０】
本実施例においてＣＤ、ＤＶＤ等の円盤状記録媒体の記録又は再生を行う記録／再生装置は、図２乃至図４に示すように、シャーシ部分２２と天板２３とで形成された方形箱状の筐体２１を備えており、該筐体２１の前面には、記録媒体Ｄを挿入排出する為の開口部２５が、図２中Ｙ軸方向に沿って延びる横長形状に設けられている。
【００２１】
前記開口部２５の下側近傍であるシャーシ部分２２の前面パネル２４の外側面には、図５に示すように、前記記録媒体Ｄの挿入方向（図５中、Ｘ軸方向）に沿って設けられている第１の回動軸Ｏを中心にそれぞれ回動自在に左右一対のシャッター部材３０，３０が配置されている。
【００２２】
前記前面パネル２４の外側面に沿ってそれぞれ回動自在に軸支された前記シャッター部材３０は、前記開口部２５の少なくとも一部分を覆って前記記録媒体Ｄの挿入を阻止する阻止位置（図４に図示した位置）と、前記開口部２５を開放して前記記録媒体Ｄの挿入排出を可能とする開放位置（図３に図示した位置）との間を移動自在とされた挿入阻止部３１を揺動先端側に備えた略矩形状板である。
【００２３】
本実施例における前記シャッター部材３０は、図５及び図６に示すように、シャーシ部分２２の底壁との間に介装された引張りコイルバネ３５の弾性力によって、それぞれ開放方向（図６中、下方向）に常時付勢されている。尚、前記シャッター部材３０を開放方向に常時付勢する付勢力は、バネの弾性力を利用して付勢するものに限らず、前記シャッター部材３０に錘をつけて重力で付勢する方法等のどの様な力で付勢しても良い。
【００２４】
又、前面パネル２４の外側面と対向する前記シャッター部材３０の内側面には、該前面パネル２４の上縁部２４ａに当接して開放方向への回動を規制する為の係止ピン３３が突設されている。
更に、前記各シャッター部材３０における第１の回動軸Ｏと前記挿入阻止部３１との間には、後述する揺動アーム４０の揺動先端部４１が挿通して係合する係合用開口３２が形成されており、前記シャッター部材３０と前記揺動アーム４０との係合部分が設けられている。
【００２５】
ここで、本実施例では、前記第１の回動軸Ｏと前記挿入阻止部３１との間に前記係合部分を設けているので、前記シャッター部材３０を小さくすることができると共に、前記揺動アーム４０の移動と前記挿入阻止部３１の移動の移動方向を同一方向にすることができ、これにより記録／再生装置の小型化及び薄型化を図ることができる。
更に、前記第１の回動軸Ｏのより近傍に前記係合部分を設けることで、前記挿入阻止部３１の移動量に対し前記揺動アーム４０の移動量をより小さくすることができ、記録／再生装置のより一層の小型化及び薄型化を図ることができる。
【００２６】
一方、前記シャーシ部分２２の前方部分（前面パネル２４側部分）には、図５に示すように、前記開口部２５の長手方向に平行な方向（Ｙ軸方向）に設けられた第２の回動軸Ｐを中心に回動自在に揺動アーム４０が配置されている。
前記揺動アーム４０の第１の端部は、前記シャッター部材３０の係合用開口３２にそれぞれ対応する一対の揺動先端部４１，４１を備えており、各揺動先端部４１が係合用開口３２に挿通されている。
【００２７】
そこで、一対の前記シャッター部材３０，３０は、図示しない駆動装置により駆動させられる駆動部材としての該揺動アーム４０の回動に連動して阻止位置又は開放位置に移動させられる。
即ち、回動させることで前記揺動アーム４０の可動空間の省スペース化を図ることができ、前記シャッター部材３０に端部で係合することで前記揺動アーム４０の小型化を図ることができる。
【００２８】
ここで、前記シャッター部材３０の阻止位置では、前記揺動アーム４０は水平姿勢となり、前記シャッター部材３０の開放位置では、前記揺動アーム４０は前下りの傾斜姿勢となる。
尚、前記シャッター部材３０を駆動する駆動部材としては、本実施例における揺動する前記揺動アーム４０に限らず、平行移動するアーム等を用いることもできる。
【００２９】
又、前記第２の回動軸Ｐに対し前記揺動先端部４１と反対側に位置する揺動アーム４０の第２の端部には、前記記録媒体Ｄと当接して前記記録媒体Ｄの挿入排出を行う挿入排出ローラ４２が設けられている。
前記挿入排出ローラ４２は、前記記録媒体Ｄの対向面に対して押圧付勢された状態で、図示しない回転駆動装置により適宜正逆回転させることにより、前記開口部２５から筐体２１内に挿入された記録媒体Ｄを搬送して前記シャーシ部分２２の後方部分に装備された記録／再生部（図示せず）に装填したり、記録／再生が終わった記録媒体Ｄを前記開口部２５から筐体２１外に排出したりする為の搬送部材の一例である。
【００３０】
次に、上述したシャッター部材３０及び揺動アーム４０により構成された本実施例のシャッター装置の動作について説明する。
先ず、記録媒体Ｄの記録／再生装置への装填前には、揺動アーム４０は、図示しない駆動装置により、図７に示すような前下りの傾斜姿勢とされており、シャッター部材３０は開放位置にある。符号５１は、筐体２１を覆う外装パネルである。
【００３１】
この際、前記シャッター部材３０は、引張りコイルバネ３５の弾性力によって、開放方向（図３及び図７中、下方向）に常時付勢されているが、該シャッター部材３０の係止ピン３３が前面パネル２４の上縁部２４ａに当接して開放方向への回動を規制されており、それ以上は回動することができない。
【００３２】
そして、前記シャッター部材３０の挿入阻止部３１が前記開放位置に位置しているときに、前記係合部分における前記シャッター部材３０と前記揺動アーム４０との間には、少なくとも前記記録媒体Ｄと前記挿入排出ローラ４２が当接することにより該記録媒体Ｄの厚みｔ１  に応じて移動する前記揺動アーム４０の前記係合部分における移動量ｔ２  以上のクリアランスＳが存在している（図７及び図８、参照）。
【００３３】
即ち、前記シャッター部材３０の係合用開口３２に挿通される前記揺動アーム４０の揺動先端部４１は、前記係合用開口３２の上方開口縁に対してクリアランスＳを有するように設定されており、このクリアランスＳは、記録／再生装置に装填される記録媒体Ｄと前記挿入排出ローラ４２が当接することにより該記録媒体Ｄの厚みｔ１  に応じて移動する前記揺動アーム４０の前記係合部分における移動量ｔ２  以上に設定される。尚、記録／再生装置が、厚みｔ１  の異なる複数種の記録媒体Ｄに再生又は記録を行うことができる所謂コンパチブル機の場合、クリアランスＳは想定される一番厚い記録媒体Ｄの厚みｔ１  に応じた移動量ｔ２  以上に設定される。
【００３４】
又、前記揺動アーム４０の第２の端部に設けられた挿入排出ローラ４２は、該揺動アーム４０が前下りの傾斜姿勢とされることで、図７に示したように、対向する天板２３側に設けられたガイド部材５０に接近した状態である。
この状態で、開放されている開口部２５から記録媒体Ｄを挿入すると、図８に示すように、該記録媒体Ｄの挿入方向先端が、挿入排出ローラ４２とガイド部材５０との間に挿入される。
【００３５】
そこで、前記挿入排出ローラ４２は、ガイド部材５０との間で記録媒体Ｄを挟持し、該記録媒体Ｄの対向面に対して押圧付勢された状態で図示しない回転駆動装置により回転駆動されるので、記録媒体Ｄを前記シャーシ部分２２の後方部分に装備された図示しない記録／再生部に装填する。
この際、記録媒体Ｄを挟持する為、挿入排出ローラ４２とガイド部材５０との間隔は予め記録媒体Ｄの厚みｔ１  よりも狭く設定されているので、挿入された記録媒体Ｄが前記挿入排出ローラ４２に接触することで、揺動アーム４０は第２の回動軸Ｐを中心に図８中時計回り方向へ若干回動する。
【００３６】
即ち、上述した如く揺動アーム４０の揺動先端部４１は、前記係合用開口３２の上方開口縁に対して、記録媒体Ｄの厚みｔ１  に応じて移動する前記揺動アーム４０の前記係合部分における移動量ｔ２  以上に設定されたクリアランスＳを有しているので、開放位置における前記シャッター部材３０は、この揺動アーム４０の回動には連動しない。
したがって、挿入された記録媒体Ｄが前記挿入排出ローラ４２に当接して搬送される際に、若干回動する揺動アーム４０に連動してシャッター部材３０の挿入阻止部３１が阻止位置側に移動して搬送中の記録媒体Ｄと干渉する虞を少なくすることができる。
また、クリアランスＳを揺動アーム４０の前記係合部分における移動量ｔ２  よりさらに大きくすることで、記録媒体Ｄにラベルが貼られたりゴミ等が付着したりして記録媒体Ｄの厚みが予定していたｔ１  より厚くなった場合においても、挿入阻止部３１が阻止位置側に移動して搬送中の記録媒体Ｄと干渉する虞を少なくすることができる。
【００３７】
次に、前記記録媒体Ｄが記録／再生部に装填されると、図９に示すように、前記揺動アーム４０は、図示しない駆動装置によって第２の回動軸Ｐを中心に時計回り方向へ回動させられて水平姿勢となる。
この際、揺動アーム４０の各揺動先端部４１が係合用開口３２に挿通されているシャッター部材３０は、該揺動アーム４０の回動に連動して第１の回動軸Ｏを中心にそれぞれ回動させられ、図１０に想像線で示すように、阻止位置へ移動する。
【００３８】
即ち、揺動アーム４０の揺動先端部４１がシャッター部材３０における第１の回動軸Ｏと挿入阻止部３１との間に形成された係合用開口３２に係合させられて回動される該シャッター部材３０は、図１０に示したように、てこの原理を利用して該挿入阻止部３１の移動量（変位量Ｈ１  ）に対して前記揺動アーム４０における揺動先端部４１の移動量（変位量ｈ１  ）を小さくすることで、揺動アーム４０付近の省スペース化を図ることができ、それにより記録／再生装置の薄型化を図ることができる。
【００３９】
そこで、例えば記録／再生装置を薄型化する為に装置高さ方向（図２中、Ｚ軸方向）の寸法が制限されることによって、前記揺動アーム４０における揺動先端部４１の移動量を大きく設定することができない場合にも、本実施例のシャッター装置は開放位置と阻止位置との間を移動するシャッター部材３０の移動量を大きくすることができ、記録媒体Ｄの挿入排出経路から十分に離れた開放位置までシャッター部材３０は退避することができるので、記録媒体Ｄを挿入排出する為の開口部２５の開口幅（Ｚ軸方向幅）を広く設定することができる。
【００４０】
従って、上述した本実施例のシャッター装置は、記録媒体の挿入排出経路と開口部が接近して干渉し易くなって記録媒体の挿入フィーリングが悪化したり、記録媒体と開口部が接触してしまうような事がない。
【００４１】
そして、記録／再生が終わった記録媒体Ｄを前記開口部２５から筐体２１外に排出する際には、図９に示したように水平姿勢となっている前記揺動アーム４０を図示しない駆動装置によって第２の回動軸Ｐを中心に反時計回り方向へ回動させ、図８に示したように、揺動アーム４０を前下りの傾斜姿勢とする。
すると、挿入排出ローラ４２は、記録媒体Ｄをガイド部材５０との間で挟持した状態で図示しない回転駆動装置により回転駆動されるので、記録媒体Ｄを前記開口部２５から筐体２１外に排出することができる。
【００４２】
ここで、前記シャッター部材３０は、引張りコイルバネ３５の弾性力によって開放方向に常時付勢されており、係合用開口３２に挿通される揺動アーム４０の揺動先端部４１が該係合用開口３２の上方開口縁に対してクリアランスＳを有している。
したがって、前記挿入排出ローラ４２が記録媒体Ｄに当接して開口部２５側へ排出搬送される際には、前記シャッター部材３０は確実に開放位置に位置することができるので、該シャッター部材３０の開放遅れによる記録媒体Ｄとの干渉を生じる虞を少なくすることができる。
【００４３】
また、本実施例におけるシャッター装置は、第２の回動軸Ｐを挟んで前記揺動先端部４１と反対側に位置する前記揺動アーム４０の第２の端部に、前記記録媒体Ｄを挿入排出させる挿入排出ローラ４２が設けられており、前記揺動先端部４１が前記シャッター部材３０の挿入阻止部３１を阻止位置に移動させた際には、前記挿入排出ローラ４２が前記記録媒体Ｄから離れるように構成されている。
【００４４】
即ち、揺動アーム４０の第２の端部に、記録媒体Ｄを挿入排出させる挿入排出ローラ４２を設けることにより、前記挿入阻止部３１が前記阻止位置に移動するときの駆動力と前記挿入排出ローラ４２が前記記録媒体Ｄから離れるときの駆動力の共通化を図ることができるので、装置全体のコンパクト化とコストの低減を図ることができる。
【００４５】
更に、前記開口部２５と前記挿入排出ローラ４２の位置が定まっていたときには、前記揺動アーム４０の小型化を図ることができる。また、前記第２の回動軸Ｐを前記揺動アーム４０の係合部分の近くに設けることで、該揺動アーム４０の係合部分の移動量に対し前記挿入排出ローラ４２の移動量を大きくすることができ、該挿入排出ローラ４２の記録媒体Ｄに対する離間量を大きくすることができる。
【００４６】
尚、本発明のシャッター装置におけるシャッター部材及び揺動アーム等の形状や構成は、上記実施例におけるシャッター装置の構成に限定されるものではなく、本発明の趣旨に基づいて種々の形態を採りうることは云うまでもない。
例えば、上記実施例においては、前面パネル２４の外側面に左右一対のシャッター部材３０，３０を設けたが、前面パネル２４の内側面に設けることもでき、シャッター部材は少なくとも１個設けられていれば良い。また、第１及び第２の回動軸Ｏ，Ｐも、それぞれＸ軸及びＹ軸に沿って延びる方向に限らず種々の方向に沿って配置することができる。
【００４７】
又、シャッター部材における第１の回動軸と挿入阻止部との間に係合させられる揺動アームの揺動先端部とシャッター部材との係合構造も、本実施例における係合用開口３２に揺動先端部４１を挿通させる構成に限らず、種々の形態を採りうることは云うまでもない。
更に、本発明における記録媒体は、ＣＤ、ＤＶＤ等の円盤状記録媒体に限らず、光カード、磁気カード等のカード状記録媒体をも含むものである。
また、記録媒体Ｄと搬送部材である挿入排出ローラ４２とは記録媒体Ｄの厚さ方向に当接しているものに限られない。例えば、搬送部材が記録媒体Ｄの長手方向（Ｙ軸方向）において挿入排出ローラ等の搬送部材が当接していても良い。
【００４８】
次に、図１１を参照しながら上述した本発明のシャッター装置に係る「シャッター部材における挿入阻止部の位置と、第１の回動軸に関して前記挿入阻止部の位置と対称となる位置との間」について説明する。
図１１に示すように、シャッター部材３０における挿入阻止部３１の位置と第１の回動軸Ｏに関して前記挿入阻止部３１の位置と対称となる位置とは、図中に想像線で示したシャッター部材３０ａにおける挿入阻止部３１ａの位置である。そこで、挿入阻止部３１の位置と、第１の回動軸Ｏに関して前記挿入阻止部３１の位置と対称となる位置（挿入阻止部３１ａの位置）との間とは、図中にＷで示した領域となる。
【００４９】
即ち、上記実施例においては、前記第１の回動軸Ｏと前記挿入阻止部３１との間に、前記シャッター部材３０と前記揺動アーム４０との係合部分（係合用開口３２及び揺動先端部４１）を設けたが、本発明はこれに限定されるものではない。
例えば、図１２に示したように、開口部２５の少なくとも一部分を覆うシャッター部材６０と揺動アームとの係合部分（係合用開口６２及び揺動先端部６５）が、第１の回動軸Ｏに関して挿入阻止部６１と対称となる位置（第１の回動軸Ｏを挟んで挿入阻止部６１と反対側の位置）に設けられることもある。
この場合、挿入阻止部６１の移動方向は揺動先端部６５の移動方向と反対方向となる。つまり、記録／再生装置の制約等により揺動アーム４０の移動方向やシャッター部材３０の移動方向が制約されても係合位置を調整するだけで対応することができる。
【００５０】
また、図１３に示したように、開口部２５の少なくとも一部分を覆うシャッター部材７０と揺動アームとの係合部分（係合用開口７２及び揺動先端部７５）が、第１の回動軸Ｏ及び挿入阻止部７１と三角形の位置関係となる位置に設けられ、且つ、挿入阻止部７１の位置と、第１の回動軸Ｏに関して前記挿入阻止部７１の位置と対称となる位置（挿入阻止部７１ａの位置）との間に設けられることもある。
このように、シャッター部材が様々な形状であっても係合位置を調整するだけで対応することができる。
また、揺動先端部７５の移動する方向に係合部分（係合用開口７２及び揺動先端部７５）と回動軸Ｏとが並んだ場合には、係合用開口７２の形状によって揺動先端部７５がスライドして回動軸Ｏと揺動先端部７５とが揺動先端部の移動する方向に常時並ばないようにすることでシャッター部材７０を駆動することができる。
【００５１】
本発明のシャッター装置は、第１の回動軸Ｏを中心に回動するシャッター部材３０と、前記シャッター部材３０と係合して、該シャッター部材３０を駆動するべく平行移動するアームや揺動するアーム４０等の駆動部材と、を備えている。前記シャッター部材３０は、前記駆動部材によって回動することにより、記録媒体Ｄを挿入又は排出する為の開口部２５の少なくとも一部分を覆って前記記録媒体Ｄの挿入を阻止する阻止位置と、前記開口部２５を開放して前記記録媒体Ｄの挿入及び排出を可能にする開放位置とに位置付けられる挿入阻止部３１を有する。前記シャッター部材３０と前記駆動部材との係合部分は、前記シャッター部材３０における前記挿入阻止部３１の位置と、前記第１の回動軸Ｏに関して前記挿入阻止部３１の位置と対称となる位置との間に設けられている。
【００５２】
即ち、前記係合部分が、前記シャッター部材３０における前記挿入阻止部３１の位置と、前記第１の回動軸Ｏに関して前記挿入阻止部３１の位置と対称となる位置との間に設けられており、てこの原理を利用してシャッター部材３０の挿入阻止部３１の移動量に対して駆動部材の移動量を小さくすることで、駆動部材付近の省スペース化を図ることができ、それにより記録／再生装置の薄型化を図ることができる。
【図面の簡単な説明】
【図１】従来のシャッター装置を説明する為の縦断面図。
【図２】本発明の一実施例に係るシャッター装置を備えた記録／再生装置の全体斜視図である。
【図３】図２に示した記録／再生装置の正面図である。
【図４】図２に示した記録／再生装置の正面図である。
【図５】図２に示した記録／再生装置におけるシャーシ部分の平面図である。
【図６】図５に示したシャッター装置の要部拡大斜視図である。
【図７】図５におけるＶＩＩ−ＶＩＩ  断面矢視図である。
【図８】図７の作動状態図である。
【図９】図７の作動状態図である。
【図１０】図５に示したシャッター装置の要部拡大正面図である。
【図１１】本発明のシャッター部材における係合部分を説明する要部概略正面図である。
【図１２】本発明のシャッター部材における係合部分の変形例を示す概略正面図である。
【図１３】本発明のシャッター部材における係合部分の他の変形例を示す概略正面図である。
【符号の説明】
２５  開口部
３０  シャッター部材
３１  挿入阻止部
４０  揺動アーム（駆動部材）
４１  揺動先端部
４２  挿入排出ローラ（搬送部材）
Ｄ  記録媒体
Ｏ  第１の回動軸
Ｐ  第２の回動軸
【図１】
2004318965.tif 000003
【図２】
2004318965.tif 000004
【図３】
2004318965.tif 000005
【図４】
2004318965.tif 000006
【図５】
2004318965.tif 000007
【図６】
2004318965.tif 000008
【図７】
2004318965.tif 000009
【図８】
2004318965.tif 000010
【図９】
2004318965.tif 000011
【図１０】
2004318965.tif 000012
【図１１】
2004318965.tif 000013
【図１２】
2004318965.tif 000014
【図１３】
2004318965.tif 000015